(57)【特許請求の範囲】
【請求項１】
屋外に設置される屋外機と通信可能な通信端末であって、
識別情報を登録する識別情報登録手段と、
前記識別情報登録手段は、一時的に登録しておく識別情報を登録し、
前記屋外機と通信する通信手段と、
前記通信手段を介して前記屋外機から所定の距離内にある携帯電話の識別情報を前記屋外機から受信する識別情報受信手段と、
識別情報受信手段による前記識別情報の受信に応じて、前記識別情報が前記識別情報登録手段に登録されていることを条件に、外来者があることを報知する報知手段と、
前記受信した識別情報が前記識別情報登録手段に一時的に登録されている識別情報の場合、所定の操作に応じて、前記受信した前記識別情報を削除する削除手段と、
指示の入力を受付ける指示受付手段と、
前記指示受付手段により許可指示が受付けられることを条件に、前記通信手段を介して外来者との通話を可能とする通話手段と、を備え、
前記識別情報登録手段は、常時登録しておく識別情報と一時的に登録しておく識別情報とを区別して登録し、
前記削除手段は、前記受信した識別情報が前記識別情報登録手段に一時的に登録されている識別情報の場合、前記指示受付手段による許可指示の受付に応じて、前記受信した前記識別情報を削除する、通信端末。
【請求項２】
前記通信手段を介して前記屋外機から外来者を撮像して取得した画像データを受信する画像データ受信手段をさらに備え、
前記識別情報登録手段は、前記識別情報と対応付けて画像データを登録可能であり、
前記報知手段は、前記受信した画像データと、前記受信した識別情報に対応付けて登録されている画像データとを同時に表示する表示手段を含む、請求項１に記載の通信端末。
【請求項３】
前記識別情報登録手段は、ネットワークを介して登録用の識別情報を受信する登録用識別情報受信手段を含み、
前記受信された登録用の識別情報を一時的に登録する、請求項１または２に記載の通信端末。
【請求項４】
屋外に設置される屋外機と、前記屋外機と通信可能な複数の通信端末とを備えた外来者受付システムであって、
前記屋外機は、
所定の距離内にある携帯電話と通信する第１通信手段と、
前記通信端末と通信するための第２通信手段と、
前記第１通信手段を介して前記携帯電話から前記携帯電話の識別情報を取得する識別情報取得手段と、
前記識別情報取得手段による前記識別情報の取得に応じて、前記第２通信手段を介して前記複数の通信端末に前記取得した識別情報を送信する識別情報送信手段とを備え、
前記複数の通信端末それぞれは、
識別情報を登録する識別情報登録手段と、
前記屋外機と通信する第３通信手段と、
前記第３通信手段を介して前記屋外機から前記携帯電話の識別情報を受信する識別情報受信手段と、
前記識別情報受信手段による前記識別情報の受信に応じて、前記識別情報が前記識別情報登録手段に登録されていることを条件に、外来者があることを報知する報知手段とを備えた、外来者受付システム。
【発明の詳細な説明】
【技術分野】
【０００１】
この発明は、外来者受付システム、屋外機および通信端末に関し、特に、受付を許可する外来者を制限してセキュリティを向上させた外来者受付システム、それを構成する屋外機および通信端末に関する。
【背景技術】
【０００２】
インターホンとして知られる従来の外来者受付システムは、外来者を識別できないために、外来者が誰であろうと外来者があることを屋内にいる人に通知してしまう。このため、例えば、外来者が宅配業者を装って侵入を意図する者であっても、屋内にいる人に通知されることになり、安全を維持できないといった問題がある。また、従来の外来者受付システムは、外来者が屋内にいる複数人のうちの一人を訪問する場合でも、外来者があることを屋内にいる人全員に通知する。このため、外来者とは関係のない人まで、外来者があったことを知らされてしまう。
【０００３】
入室管理システムであるが、特開２０００−２９３７７２号公報（特許文献１）には、電話からの入電がなされる接続装置、該電話に固有の電話番号と予め登録されている電話番号との第１の照合を行う電話番号照合装置、所定の情報を入力するための入力装置、情報と予め記憶されている情報との第２の照合を行う入力情報照合装置、第１および第２の照合の結果に基づき監視対象の施錠または開錠を制御する制御装置を備えた監視部を含む入室管理システムが記載されている。
【０００４】
しかしながら、特開２０００−２９３７７２号公報に記載の技術は、入室しようとする者が電話をかける必要があり、入室のために煩雑で通信費が発生する作業が必要になるといった問題がある。
【特許文献１】特開２０００−２９３７７２号公報
【発明の開示】
【発明が解決しようとする課題】
【０００５】
この発明は上述した問題点を解決するためになされたもので、この発明の目的の１つは、受付を許可する外来者を制限してセキュリティを向上させた外来者受付システムを提供することである。
【０００６】
この発明の他の目的は、外来者の検出と識別とを容易にすることが可能な屋外機を提供することである。
【０００７】
この発明のさらに他の目的は、受付を許可する外来者を制限してセキュリティを向上させた通信端末を提供することである。
【０００８】
この発明のさらに他の目的は、外来者があったことを報知する必要のある人にのみ報知することが可能な外来者受付システムを提供することである。
【課題を解決するための手段】
【００１３】
この発明のある局面によれば、通信端末は、屋外に設置される屋外機と通信可能な通信端末であって、識別情報を登録する識別情報登録手段と、識別情報登録手段は、一時的に登録しておく識別情報を登録し、屋外機と通信する通信手段と、通信手段を介して屋外機から所定の距離内にある携帯電話の識別情報を屋外機から受信する識別情報受信手段と、識別情報受信手段による識別情報の受信に応じて、識別情報が識別情報登録手段に登録されていることを条件に、外来者があることを報知する報知手段と、受信した識別情報が識別情報登録手段に一時的に登録されている識別情報の場合、所定の操作に応じて、受信した識別情報を削除する削除手段と、指示の入力を受付ける指示受付手段と、指示受付手段により許可指示が受付けられることを条件に、通信手段を介して外来者との通話を可能とする通話手段と、を備え、識別情報登録手段は、常時登録しておく識別情報と一時的に登録しておく識別情報とを区別して登録し、削除手段は、受信した識別情報が識別情報登録手段に一時的に登録されている識別情報の場合、指示受付手段による許可指示の受付に応じて、受信した識別情報を削除する。
【００１４】
この発明に従えば、所定の距離内にある携帯電話の識別情報が屋外機から受信されると、受信された識別情報が登録されていることを条件に、外来者があることが報知される。このため、識別情報を登録した携帯電話を携帯する者が来訪した場合のみ外来者があることが報知される。その結果、受付を許可する外来者を制限してセキュリティを向上させた通信端末を提供することができる。また、受信した識別情報が一時的に登録されている識別情報の場合、所定の操作に応じて、受信した識別情報が削除される。このため、不要な識別情報がいつまでも登録されたままになることがなく、セキュリティを高度に維持することができる。また、許可指示が受付けられることを条件に、外来者との通話が可能となるので、通信端末を操作するユーザの意思で、外来者を受付けるか否かを判断することができる。さらに、受信した識別情報が一時的に登録されている識別情報の場合、許可指示の受付に応じて、受信した識別情報が削除される。このため、不要な識別情報がいつまでも登録されたままになることがなく、セキュリティを高度に維持することができる。
【００１９】
好ましくは、通信手段を介して屋外機から外来者を撮像して取得した画像データを受信する画像データ受信手段をさらに備え、識別情報登録手段は、識別情報と対応付けて画像データを登録可能であり、報知手段は、受信した画像データと、受信した識別情報に対応付けて登録されている画像データとを同時に表示する表示手段を含む。
【００２０】
この発明に従えば、屋外機から外来者を撮像して取得した画像データが受信され、受信された画像データと、受信された識別情報に対応付けて登録されている画像データとが同時に表示される。このため、外来者の顔を、予め登録した画像データで確認することができる。その結果、通信端末のユーザは、携帯電話の所有者でない別人が携帯電話の所有者になりすまして来訪した場合であっても、別人が来訪したことを知ることができる。
【００２１】
好ましくは、識別情報登録手段は、ネットワークを介して登録用の識別情報を一時的に受信する登録用識別情報受信手段を含み、受信された登録用の識別情報を登録する。
【００２２】
この発明に従えば、ネットワークを介して登録用の識別情報が受信されると、受信された登録用の識別情報が登録される。このため、識別情報の登録が容易となる。
【００２３】
この発明の他の局面によれば、外来者受付システムは、屋外に設置される屋外機と、屋外機と通信可能な複数の通信端末とを備えた外来者受付システムであって、屋外機は、所定の距離内にある携帯電話と通信する第１通信手段と、通信端末と通信するための第２通信手段と、第１通信手段を介して携帯電話から携帯電話の識別情報を取得する識別情報取得手段と、識別情報取得手段による識別情報の取得に応じて、第２通信手段を介して複数の通信端末に取得した識別情報を送信する識別情報送信手段とを備え、複数の通信端末それぞれは、識別情報を登録する識別情報登録手段と、屋外機と通信する第３通信手段と、第３通信手段を介して屋外機から携帯電話の識別情報を受信する識別情報受信手段と、識別情報受信手段による識別情報の受信に応じて、識別情報が識別情報登録手段に登録されていることを条件に、外来者があることを報知する報知手段とを備える。
【００２４】
この発明に従えば、屋外機により、所定の距離内にある携帯電話と通信して外来者が携帯する携帯電話から携帯電話の識別情報が取得され、取得された識別情報が通信端末に送信される。そして、複数の通信端末それぞれで、屋外機から携帯電話の識別情報が受信されると、受信された識別情報が登録されていることを条件に、外来者があることが報知される。このため、受付を許可する外来者を制限してセキュリティを向上させた外来者受付システムを提供することができる。また、複数の通信端末のうち、受信された識別情報が登録されている通信端末のみが外来者があることを報知する。このため、外来者があったことを報知する必要のある人にのみ報知することが可能な外来者受付システムを提供することができる。
【発明を実施するための最良の形態】
【００２９】
以下、本発明の実施の形態について図面を参照して説明する。以下の説明では同一の部品には同一の符号を付してある。それらの名称および機能も同じである。したがってそれらについての詳細な説明は繰返さない。
【００３０】
＜第１の実施の形態＞
図１は、本発明の第１の実施の形態における外来者受付システムの構成の概略を示す図である。図１を参照して、外来者受付システムは、屋外機１０と、通信端末２０とを含む。屋外機１０は、玄関などの屋外に設置され、通信端末２０は、屋内に設置される。外来者が携帯する携帯電話４０は、ＩＣタグ４１が装着されている。ＩＣタグ４１は、電磁波で通信する通信部と情報を不揮発的に記憶するためのＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）等の半導体メモリを含む。ＩＣタグ４１の半導体メモリは、携帯電話４０を識別するための識別情報として、携帯電話４０に割り当てられた電話番号またはＥＳＮ（Ｅｌｅｃｔｒｏｎｉｃ  Ｓｅｒｉａｌ  Ｎｕｍｂｅｒ）を予め記憶する。
【００３１】
屋外機１０は、屋外機１０の全体を制御するための制御部１１と、マイク１２と、スピーカ１３と、カメラ１４と、携帯電話４０のＩＣタグ４１との間で近距離通信するための近距離通信部１５と、屋外機１０を通信端末２０と接続するための通信Ｉ／Ｆ１６と、制御部１１が実行する外来者受付プログラムを記憶するためのＲＯＭ（Ｒｅａｄ  Ｏｎｌｙ  Ｍｅｍｏｒｙ）１７とを含む。
【００３２】
近距離通信部１５は、携帯電話４０のＩＣタグ４１と通信する。近距離通信部１５は、通信距離が所定の距離の範囲に制限されている。このため近距離通信部１５は、近距離通信部１５から所定の距離の範囲内に携帯電話４０が進入すると、携帯電話４０に装着されたＩＣタグ４１と通信可能になる。近距離通信部１５は、ＩＣタグ４１と通信してＩＣタグ４１からそのＩＣタグの半導体メモリに記憶されている携帯電話４０の識別情報を受信する。近距離通信部１５がＩＣタグ４１と通信可能な距離は、例えば、１０ｃｍ程度あれば十分である。近距離通信部１５とＩＣタグ４１との間の通信における通信方式は、非接触式ＩＣカードに用いられ、ＮＦＣ（Ｎｅａｒ  Ｆｉｅｌｄ  Ｃｏｍｍｕｎｉｃａｔｉｏｎ）として知られている短距離無線通信規格である。カメラ１４は、携帯電話４０の所有者である外来者が、携帯電話４０を屋外機１０の近距離通信部１５に近づけた体勢にあるときに、外来者の顔がカメラ１４の撮像範囲に入る位置に設置される。
【００３３】
通信端末２０は、通信端末２０の全体を制御するための制御部２１と、マイク２２と、スピーカ２３と、通信端末２０を屋外機１０と接続するための第１通信Ｉ／Ｆ２４と、通信端末２０をインターネットに接続するための第２通信Ｉ／Ｆ２５と、表示部２６と、操作部２７と、受付許可者データを不揮発的に記憶するためのＥＥＰＲＯＭ２８と、制御部２１が実行するプログラムを記憶するためのＲＯＭ２９と、通信端末２０を携帯電話５０と無線接続するための無線ＬＡＮカード３０とを含む。通信端末２０は、一般的なコンピュータで実現してもよい。
【００３４】
操作部２７は、通信端末２０のユーザによる操作の入力を受付けるためのキーボードまたはマウス等の入力装置である。表示部２６は、液晶表示装置または有機ＥＬ(Ｅｌｅｃｔｒｏ−Ｌｕｍｉｎｅｓｃｅｎｃｅ)ディスプレイパネルである。操作部２７と表示部２６を一つにしたタッチパネルを用いてもよい。通信端末２０と屋外機１０との接続形態は有線または無線を問わない。通信端末２０の第１通信Ｉ／Ｆ２４と、屋外機１０の通信Ｉ／Ｆ１６とは、通信端末２０と屋外機１０との接続形態に応じて、通信プロトコルが定められる。第２通信Ｉ／Ｆ２５は、通信端末２０をインターネットと接続するための通信インターフェイスである。これにより、通信端末２０は、他のコンピュータとの間で通信することが可能となり、携帯電話４０が送信する電子メールを受信することができる。
【００３５】
制御部２１は、ＲＯＭ２９に記憶された受付許可者登録プログラムおよび外来者受付プログラムを読み出して実行する。制御部２１が実行するプログラムは、ＲＯＭ２９に記憶された受付許可者登録プログラムおよび外来者受付プログラムに限られず、制御部２１がインターネットに接続された他のコンピュータから受付許可者登録プログラムおよび外来者受付プログラムをダウンロードして、その受付許可者登録プログラムおよび外来者受付プログラムを実行するようにしてもよい。さらに、制御部２１は、ＣＤ−ＲＯＭ（Ｃｏｍｐａｃｔ  Ｄｉｓｋ  ＲＯＭ）３１に記録されたものを読み出して実行するようにしてもよい。ここでいうプログラムは、制御部２１により直接実行可能なプログラムだけでなく、ソースプログラム形式のプログラム、圧縮処理されたプログラム、暗号化されたプログラム等を含む。なお、受付許可者登録プログラムおよび外来者受付プログラムを記憶する記録媒体としては、フレキシブルディスク、カセットテープ、光ディスク（ＭＯ（Ｍａｇｎｅｔｉｃ
Ｏｐｔｉｃａｌ Ｄｉｓｃ）／ＭＤ（Ｍｉｎｉ Ｄｉｓｃ）／ＤＶＤ（Ｄｉｇｉｔａｌ Ｖｅｒｓａｔｉｌｅ Ｄｉｓｃ））、ＩＣカード（メモリカードを含む）、光カード、マスクＲＯＭ、ＥＰＲＯＭ、ＥＥＰＲＯＭなどの半導体メモリ等であってもよい。
【００３６】
なお、本実施の形態においては、通信端末２０が携帯電話５０と通信するために無線ＬＡＮカード３０を用いるようにしたが、ＢｌｕｅｔｏｏｔｈやＨｏｍｅＲＦ（Ｒａｄｉｏ  Ｆｒｅｑｕｅｎｃｙ）などの無線通信の規格で通信可能な通信部を用いてもよい。
【００３７】
本実施の形態における外来者受付システムは、外来者が所有する携帯電話４０の識別情報で外来者を識別する。このため、近距離通信部１５は、携帯電話４０に装着されたＩＣタグ４１との間で近距離通信して、携帯電話４０に割り当てられた電話番号またはＥＳＮを受信する。屋外機１０が携帯電話４０から電話番号またはＥＳＮを受信すると、屋外機１０は、その電話番号またはＥＳＮを通信端末２０に送信する。一方、通信端末２０は、受付を許可する者が所有する携帯電話に割り当てられた電話番号またはＥＳＮを、受付許可者データとして予めＥＥＰＲＯＭ２８に記憶している。通信端末２０は、屋外機１０から電話番号またはＥＳＮを受信すると、受付許可者データを検索して、受付を許可するか否かを決定する。通信端末２０は、外来者の受付を許可する場合には、通信端末２０のユーザに外来者があることを報知し、外来者の受付を許可しない場合には何もしない。
【００３８】
通信端末２０が記憶する受付許可者データは、通信端末２０のユーザにより通信端末２０に登録される。通信端末２０のユーザは、知人が所有する携帯電話に割り当てられた電話番号またはＥＳＮを予め知ることができるので、知人が所有する携帯電話の電話番号またはＥＳＮを通信端末２０へ登録することができる。しかしながら、外来者が宅配業者等の場合には、外来者が所有する携帯電話に割り当てられた電話番号またはＥＳＮを予め知ることができない。このため、本実施の形態における通信端末２０は、外来者が訪問する前の段階で、訪問者が所有する携帯電話に割り当てられた電話番号またはＥＳＮを電子メールで受信する。例えば、外来予定者が宅配業者の場合には、宅配業者が訪問前に宅配業者が所有する携帯電話４０に割り当てられた電話番号またはＥＳＮを電子メールで通信端末２０に送信する。また、宅配便の発送主が、発送主が所有する携帯電話に割り当てられた電話番号またはＥＳＮを、電子メールで通信端末２０に送信するとともに、宅配業者にも電話などで通知して、宅配業者が所有する携帯電話４０のＩＣタグ４１に記憶させるようにする。
【００３９】
図２は、通信端末に記憶される受付許可者データのフォーマットの一例を示す図である。受付許可者データは、通信端末２０のＥＥＰＲＯＭ２８に記憶される。図２は、ＥＥＰＲＯＭ２８の記憶領域を示している。受付許可者データは、電話番号と、ＥＳＮと、顔画像データと、許可者識別情報とを含む。電話番号は、携帯電話に割り当てられたユニークな電話番号であり、ＥＳＮは携帯電話に割り当てられたユニークな番号であり、顔画像データは携帯電話の所有者を撮影して得られる画像データであり、許可者識別情報は通信端末のユーザを識別するための情報である。受付許可者データは、電話番号とＥＳＮとのいずれか一方を必ず含み、両方を含んでもよい。なお、許可者識別情報は、通信端末のユーザが単数の場合には不要である。
【００４０】
図３は、通信端末で実行される受付許可者データ登録処理の流れの一例を示すフローチャートである。受付許可者データ登録処理は、通信端末２０の制御部２１が、ＲＯＭ２９に記憶された受付許可者データ登録プログラムを実行することにより、制御部２１で実行される処理である。図３を参照して、制御部２１は、電話番号またはＥＳＮが入力されたか否かを判断する（ステップＳ０１）。電話番号またはＥＳＮは、通信端末２０を操作するユーザにより通信端末２０に入力される。制御部２１は、ユーザが電話番号またはＥＳＮを入力するための入力画面を表示部２６に表示させ、ユーザにより操作部２７に電話番号またはＥＳＮが入力されることにより電話番号またはＥＳＮを取得する。制御部２１は、電話番号またはＥＳＮが入力されると処理をステップＳ０２に進め、入力されなければ処理をステップＳ０７に進める。
【００４１】
ステップＳ０２では、制御部２１は、顔画像データが入力されたか否かを判断する。顔画像データは、ステップＳ０１で入力された電話番号またはＥＳＮを有する携帯電話の所有者の顔を撮像して得られる画像データである。顔画像データは、ＥＥＰＲＯＭ２８またはＣＤ−ＲＯＭ３１に予め記憶された顔画像データを制御部２１が読み出すようにすればよい。また、制御部２１が、無線ＬＡＮカード３０に、通信端末２０のユーザの携帯電話５０から顔画像データを受信させるようにしてもよいし、第２通信Ｉ／Ｆ２５に、インターネットに接続されるコンピュータから顔画像データを受信させるようにしてもよい。制御部２１は、ユーザに顔画像データの入力先（記録資源）を指定させる入力画面を表示部２６に表示させ、ユーザにより操作部２７に入力先の指定が入力されたか否かを判断する。制御部２１は、入力先の指定が受付けられると指定された入力先から顔画像データを取得して処理をステップＳ０２に進め、入力先の指定が受付けられなければ処理をステップＳ０７に進める。
【００４２】
ステップＳ０３では、制御部２１は、許可者識別情報が入力されたか否かを判断する。許可者識別情報は、通信端末２０の複数のユーザのうち受付許可者データを登録するユーザに割り当てられた識別情報である。より具体的には、ステップＳ０１で電話番号またはＥＳＮを入力したユーザに割り当てられた識別情報である。ここでは、許可者識別情報をユーザの氏名としている。許可者識別情報は、ユーザを他のユーザと識別可能な情報であればよく、例えば、ユーザごとに割り当てられたコード、ニックネームなどであってもよい。制御部２１は、ユーザが許可者識別情報を入力するための入力画面を表示部２６に表示させ、ユーザにより操作部２７に許可者識別情報が入力されることにより許可者識別情報を取得する。入力画面は、通信端末２０にそれを使用するユーザのユーザ識別情報が既に記憶されている場合には、記憶されているユーザ識別情報のリストを含んでもよい。この場合、ユーザは入力画面に表示されたリストから１のユーザ識別情報を選択することで、ユーザ識別情報を通信端末２０に入力することができる。制御部２１は、許可者識別情報が入力されると処理をステップＳ０４に進め、入力されなければ処理をステップＳ０７に進める。なお、通信端末２０のユーザが単数の場合には、ステップＳ０３は不要である。
【００４３】
ステップＳ０４では、制御部２１は、回数制限情報が入力されたか否かを判断する。回数制限情報は、ステップＳ０１で入力された電話番号またはＥＳＮを有する携帯電話の所有者の訪問を１回のみ許可することを示す情報である。回数制限情報は、通信端末２０のユーザにより操作部２７に入力される。制御部２１は、ユーザが回数制限情報を入力するための画面を表示部２６に表示させ、ユーザにより操作部２７に回数制限情報が入力されることにより回数制限情報を取得する。制御部２１は、回数制限情報が入力されると処理をステップＳ０５に進め、入力されなければ処理をステップＳ０６に進める。なお、制御部２１は、ステップＳ０１〜ステップＳ０４それぞれで表示部２６に入力画面を表示させるようにしたが、ステップＳ０１〜ステップＳ０４それぞれで表示させた入力画面を同時に表示部２６に表示させるようにしてもよい。
【００４４】
ステップＳ０５では、制御部２１は、ステップＳ０１で取得した電話番号またはＥＳＮと、ステップＳ０２で取得した顔画像データと、ステップＳ０３で取得した許可者識別情報とから受付許可者データを生成してＥＥＰＲＯＭ２８の一時記憶領域に記憶する。一方、制御部２１は、ステップＳ０６では、ステップＳ０１で取得した電話番号またはＥＳＮと、ステップＳ０２で取得した顔画像データと、ステップＳ０３で取得した許可者識別情報とから受付許可者データを生成してＥＥＰＲＯＭ２８の常時記憶領域に記憶する。
【００４５】
制御部２１は、ステップＳ０７では、通信端末２０のユーザが所有する携帯電話５０から電話帳データを受信したか否かを判断する。制御部２１は、無線ＬＡＮカード３０で、電話帳データが受信されると処理をステップＳ０８に進め、受信されなければ処理をステップＳ１０に進める。換言すれば、制御部２１は、通信端末２０のユーザが所有する携帯電話５０から電話帳データが、無線ＬＡＮカード３０から受信されることを条件に、処理をステップＳ０８に進める。なお、ここでは、無線ＬＡＮカード３０から電話帳データが受信される例を示すが、ＩｒＤＡなどの他の通信方法を用いて携帯電話５０から電話帳データを受信するようにしてもよいし、通信端末２０と携帯電話５０とをＵＳＢケーブルで接続して携帯電話５０から電話帳データを受信するようにしてもよい。
【００４６】
ステップＳ０８では、制御部２１は、許可者識別情報が入力されたか否かを判断する。ここでの許可者識別情報は、ステップＳ０７で電話帳データを通信端末２０に送信した携帯電話５０の所有者に割り当てられた許可者識別情報である。制御部２１は、ステップＳ０７で携帯電話５０から電話帳データを受信する際に、許可者識別情報を受信するようにしてもよい。制御部２１は、許可者識別情報が入力されると処理をステップＳ０９に進め、入力されなければ処理をステップＳ１０に進める。なお、通信端末２０のユーザが単数の場合には、ステップＳ０８は不要である。制御部２１は、ステップＳ０９では、ステップＳ０８で受信した電話帳データに含まれる電話番号と、顔画像データと、ステップＳ０８で受付けた許可者識別情報とから受付許可者データを生成してＥＥＰＲＯＭ２８の常時記憶領域に記憶する。なお、電話帳データで電話番号がグループ分けされている場合には、例えば家族や友人等の特定のグループに分類されている電話番号のみを受付許可者データとしてＥＥＰＲＯＭ２８に記憶するようにしてもよい。さらに、携帯電話５０に発信履歴または着信履歴として記憶されている電話番号を受付許可者データとしてＥＥＰＲＯＭ２８に記憶するようにしてもよい。この際、発信回数または着信回数が所定回数を超える電話番号のみを受付許可者データとしてＥＥＰＲＯＭ２８に記憶するようにしてもよい。
【００４７】
ステップＳ１０では、制御部２１は、訪問登録用電子メールが受信されたか否かを判断する。訪問登録用電子メールは、第２通信Ｉ／Ｆ２５で受信される電子メールのうち訪問する者の電話番号またはＥＳＮを少なくとも含む電子メールである。電子メールのヘッダ部分、またはサブジェクトに訪問登録用電子メールであることを示す情報を含む。訪問登録用電子メールは、訪問する者の顔を撮像して得られる顔画像データおよび訪問される者を特定するための情報を含んでもよい。ここでは、訪問登録用電子メールが、訪問する者の電話番号またはＥＳＮ、顔画像データおよび訪問される者を特定するための情報を含んでいるものとして説明する。また、訪問される者を特定するための情報を、訪問される者の氏名、すなわち、許可者識別情報としている。制御部２１は、第２通信Ｉ／Ｆ２５で訪問登録用電子メールが受信されると処理をステップＳ１１に進め、訪問登録用電子メールが受信されなければ処理を終了する。制御部２１は、第２通信Ｉ／Ｆ２５で訪問登録用電子メールが受信されると、その訪問登録用電子メールから、電話番号またはＥＳＮを抽出し（ステップＳ１１）、顔画像データを抽出し（ステップＳ１２）、許可者識別情報を抽出する（ステップＳ１３）。そして、制御部２１は、ステップＳ１１で抽出した電話番号またはＥＳＮと、ステップＳ１２で抽出した顔画像データと、ステップＳ１３で抽出した許可者識別情報とから受付許可者データを生成してＥＥＰＲＯＭ２８の一時記憶領域に記憶する（ステップＳ１４）。
【００４８】
図４は、第１の実施の形態における外来者受付システムで実行される処理の流れの一例を示す図である。図４（Ａ）は、屋外機で実行される外来者受付処理を示すフローチャートである。この外来者受付処理は、ＲＯＭ１７に記憶された外来者受付プログラムが制御部１１により実行されることにより、制御部１１で実行される処理である。図４（Ａ）は、通信端末で実行される外来者報知処理を示すフローチャートである。この外来者報知処理は、ＲＯＭ２９に記憶された外来者報知プログラムが制御部２１で実行されることにより、制御部１１で実行される処理である。
【００４９】
図４（Ａ）を参照して、屋外機１０の制御部１１は、近距離通信部１５で外来者が所有する携帯電話４０が装着するＩＣタグ４１からその携帯電話４０の識別情報が受信されたか否かを判断する（ステップＳ２１）。制御部１１は、近距離通信部１５でＩＣタグ４１から携帯電話４０の識別情報が受信されるまで待機状態となっており（ステップＳ２１でＮＯ）、近距離通信部１５で識別情報が受信されると処理をステップＳ２２に進める。換言すれば、制御部１１は、近距離通信部１５でＩＣタグ４１から携帯電話４０の識別情報が受信されることを条件に、ステップＳ２２以降の処理を実行する。識別情報は、携帯電話４０に割り当てられた電話番号またはＥＳＮである。近距離通信部１５は、近距離通信部１５から所定の距離の範囲内に携帯電話４０が進入すると、その携帯電話４０のＩＣタグ４１から識別情報を受信するので、制御部２１による近距離通信部１５で識別情報が受信された事象の検出は、外来者の検出に相当する。
【００５０】
制御部１１は、ステップＳ２１で受信した携帯電話４０の識別情報を、通信Ｉ／Ｆ１６を介して通信端末２０に送信する（ステップＳ２２）。そして、制御部１１は、カメラ１４を駆動して、カメラ１４に撮像させる（ステップＳ２３）。これにより、カメラ１４は、外来者の顔を撮像して得られる画像データを出力する。制御部１１は、カメラ１４が出力する画像データを取得して、通信Ｉ／Ｆ１６を介して通信端末２０に送信する（ステップＳ２４）。制御部１１は、ステップＳ２５で通信端末２０から送信される許可信号の受信を検出する。制御部１１は、通信Ｉ／Ｆ１６で許可信号が受信されると、処理をステップＳ２６に進め、受信されなければ処理を終了する。許可信号については後述する。
【００５１】
ステップＳ２６では、制御部１１は、マイク１２とスピーカ１３とをオンにする。制御部１１は、マイク１２とスピーカ１３とをオンして屋外機１０を通話が可能な状態にする。具体的には、制御部１１は、マイク１２が集音して出力する音声データを通信Ｉ／Ｆ１６を介して通信端末２０に送信し、通信Ｉ／Ｆ１６で受信される音声データをスピーカ１３に与え、スピーカ１３から音を発生させる。また、制御部１１は、カメラ１４が出力する画像データを通信Ｉ／Ｆ１６を介して通信端末２０に送信する。ステップＳ２７では、制御部１１は、通信端末２０から終了信号が受信されたか否かを判断する。制御部１１は、終了信号が受信されるまで待機状態となり（ステップＳ２７でＮＯ）、屋外機１０が通話可能な状態を維持する。制御部１１は、終了信号が受信されると処理をステップＳ２８に進める。終了信号については後述する。ステップＳ２８では、制御部１１は、マイク１２とスピーカ１３とをオフして屋外機１０を通話が不可能な状態にする。そして、制御部１１は、処理を終了する。
【００５２】
図４（Ｂ）を参照して、通信端末２０の制御部２１は、屋外機１０から識別情報が受信されたか否かを判断する（ステップＳ３１）。制御部２１は、通信Ｉ／Ｆ２４で識別情報が受信されるまで待機状態となっており（ステップＳ３１でＮＯ）、識別情報が受信されると処理をステップＳ３２に進める。換言すれば、制御部２１は、通信Ｉ／Ｆ２４で識別情報が受信されることを条件に、ステップＳ３２以降の処理を実行する。ステップＳ３１では、制御部２１は、屋外機１０から送信される画像データを受信する。そして、制御部２１は、ステップＳ３１で受信した識別情報をキーにして、ＥＥＰＲＯＭ２８に記憶されている受付許可者データを検索する（ステップＳ３３）。制御部２１は、ステップＳ３１で受信した識別情報を含む受付許可者データがＥＥＰＲＯＭ２８に記憶されているか否かを判断する（ステップＳ３４）。制御部２１は、ステップＳ３１で受信した識別情報を含む受付許可者データがＥＥＰＲＯＭ２８に記憶されていれば処理をステップＳ３５に進め、そうでなければ処理を終了する。ステップＳ３５では、ステップＳ３１で受信した識別情報を含む受付許可者データの顔画像データをＥＥＰＲＯＭ２８から読み出す。
【００５３】
そして、制御部２１は、転送モードに設定されているか否かを判断する（ステップＳ３６）。転送モードとは、外来者の報知先を通信端末２０の所有者の携帯電話５０とするモードである。通信端末２０は、通信端末２０のユーザにより予め転送モードと転送モードでない非転送モードとのいずれかに設定されている。転送モードおよび非転送モードの設定は、操作部２７が備えるディップスイッチのＯＮまたはＯＦＦでなされる。また、制御部２１で、操作部２７にユーザにより入力される信号に従って、ＥＥＰＲＯＭ２８に転送モードである旨を記憶するようにしてもよい。制御部２１は、通信端末２０が転送モードに設定されていれば処理をステップＳ４７に進め、非転送モードに設定されていれば処理をステップＳ３７に進める。
【００５４】
制御部２１は、ステップＳ３７では、表示部２６に来訪者があることを報知するためにスピーカ２３に呼び鈴の音を出力させる。また、制御部２１は、音の出力に併せて、表示部２６に所定のメッセージを表示するようにしてもよい。メッセージには、ステップＳ３１で受信した識別情報を含む受付許可者データの許可者識別情報を含めるようにしてもよい。この場合のメッセージは、例えば「（訪問される者の氏名）に来客です」である。これにより、通信端末２０のユーザが複数いる場合であっても、複数のユーザのうちの誰に来客であるかを知らせることができる。さらに、受付許可者データに携帯電話４０の所有者の氏名を対応つけておく、または、受付許可者データの電話番号またはＥＳＮと携帯電話４０の所有者の氏名とを対応つけておけば、ステップＳ３１で受信した識別情報を含む受付許可者データから来訪者の氏名を特定することができるので、例えば、「（訪問する者の氏名）が来客です」のメッセージを表示するようにしてもよい。これにより、通信端末２０のユーザに外来者が誰であるかを知らせることができる。
【００５５】
制御部２１は、ステップＳ３２で受信した画像データと、ステップＳ３５で読み出した顔画像データとを表示部２６に並べて表示する（ステップＳ３８）。図５は、通信端末の表示部に表示される画面の一例を示す図である。なお、図では、円形の図形中に顔の文字を表しているが、実際には顔を撮影して得られる画像が表示される。図５を参照して、外来者の顔の画像と、携帯電話４０の所有者の顔の画像とが表示部に同時に並べて表示される。このため、通信端末２０のユーザは、携帯電話４０の所有者と、外来者とが同一人物であることを画像で確認することができる。なお、ここでいう画像データは、静止画に限定されず、動画データを含む。
【００５６】
図４（Ｂ）に戻って、ステップＳ３９では、制御部２１は、許可信号が入力されたか否かを判断する。許可信号は、通信端末２０のユーザが屋外機１０の近くにいる外来者との通話を可能とすることを、通信端末２０のユーザが通信端末２０に指示する信号である。制御部２１は、通信端末２０のユーザにより操作部２７に許可信号が入力されることにより、許可信号を取得する。制御部２１は、許可信号が入力されると処理をステップＳ４０に進め、許可信号が入力されなければ処理を終了する。
【００５７】
一方、ステップＳ４７では、制御部２１は、通信端末２０のユーザの携帯電話５０に、無線ＬＡＮカード３０を介して、来訪者があることを報知するために所定のメッセージを送信する。これにより、携帯電話５０のユーザは、通信端末２０から離れた位置にいても、外来者があることを知ることができる。送信するメッセージは、呼び出し音を含めるようにしてもよい。通信端末２０のユーザが複数あり、複数のユーザそれぞれが携帯電話５０を所有する場合には、制御部２１は、ステップＳ３１で受信した識別情報を含む受付許可者データの許可者識別情報に基づいて、複数の携帯電話５０から１つを特定して、その特定した携帯電話５０にのみメッセージを送信する。これにより、訪問される者にのみメッセージが送信されて、外来者の訪問とは関係のない人にメッセージが送信されることがない。さらに、受付許可者データに携帯電話４０の所有者の氏名を対応付けておく、または、受付許可者データの電話番号またはＥＳＮと携帯電話４０の所有者の氏名とを対応付けておけば、ステップＳ３１で受信した識別情報を含む受付許可者データから来訪者の氏名を特定することができるので、例えば、「（訪問する者の氏名）が来客です」のメッセージを送信するようにしてもよい。これにより、携帯電話５０のユーザに外来者が誰であるかを知らせることができる。
【００５８】
制御部２１は、ステップＳ３２で受信した画像データと、ステップＳ３５で読み出した顔画像データとを通信端末２０のユーザの携帯電話５０に、無線ＬＡＮカード３０を介して送信する（ステップＳ４８）。携帯電話５０では、それが備える液晶表示装置に、受信した２つの画像データを並べて表示する。携帯電話５０の液晶表示装置に、図５に示したのと同様の画面を表示させることができる。このため、携帯電話５０のユーザは、携帯電話４０の所有者と、外来者とが同一人物であることを画像で確認することができる。ステップＳ４９では、制御部２１は、無線ＬＡＮカード３０により携帯電話５０から許可信号が受信されたか否かを判断する。許可信号は、携帯電話５０のユーザが携帯電話５０のキーボード、たとえば、通話ボタンを押下することにより携帯電話５０に入力され、携帯電話５０から通信端末２０に送信される。制御部２１は、無線ＬＡＮカード３０により許可信号が受信されると処理をステップＳ４０に進め、許可信号が受信されなければ処理を終了する。
【００５９】
ステップＳ４０では、制御部２１は、ステップＳ３１で受信した識別情報を含む受付許可者データがＥＥＰＲＯＭ２８の一時記憶領域に記憶されているか否かを判断する。制御部２１は、一時記憶領域に記憶されていれば処理をステップＳ４１に進め、常時記憶領域に記憶されていれば処理をステップＳ４２に進める。ステップＳ４１では、ステップＳ３１で受信した識別情報を含む受付許可者データをＥＥＰＲＯＭ２８から削除する。ステップＳ３１で受信した識別情報の携帯電話の所有者の２回目の訪問を受付けないようにするためである。
【００６０】
ステップＳ４２では、制御部２１は、屋外機１０に許可信号を通信Ｉ／Ｆ２４を介して送信する。そして、制御部２１は、マイク２２とスピーカ２３とをオンにする（ステップＳ４３）。制御部２１は、マイク２２とスピーカ２３とをオンして通信端末２０を通話が可能な状態にする。具体的には、制御部２１は、マイク２２が集音して出力する音声データを通信Ｉ／Ｆ２４を介して屋外機１０に送信し、通信Ｉ／Ｆ２４で受信される音声データをスピーカに与え、スピーカから音を発生させる。また、制御部２１は、通信Ｉ／Ｆ２４から受信される画像データを表示部２６に表示させる。制御部２１は、許可信号の入力を条件に、外来者との通話を可能とするので、通信端末２０のユーザは、自身の意思で外来者と通話するか否かを決定することができる。
【００６１】
ステップＳ４４では、制御部２１は、終了信号が入力されたか否かを判断する。終了信号は、通信端末２０のユーザが屋外機１０の近くにいる外来者との通話を終了することを、通信端末２０のユーザが通信端末２０に指示する信号である。制御部２１は、通信端末２０のユーザにより操作部２７に終了信号が入力されることにより、終了信号を取得する。制御部２１は、終了信号が入力されるまで待機状態となり(ステップＳ４４でＮＯ）、通信端末２０が通話可能な状態を維持する。制御部２１は、終了信号が入力されると処理をステップＳ４５に進める。ステップＳ４５では、制御部２１は、屋外機１０に終了信号を通信Ｉ／Ｆ２４を介して送信する。そして、制御部２１は、マイク２２とスピーカ２３とをオフにする（ステップＳ４６）。制御部２１は、マイク２２とスピーカ２３とをオフして通信端末２０を通話が不可能な状態にする。そして、制御部２１は、処理を終了する。
【００６２】
なお、ステップＳ４７に進む場合、マイク２２とスピーカ２３とをオンにすることなく、通信端末２０が携帯電話５０と屋外機１０との間の通信を中継するようにしてもよい。これにより、携帯電話５０のユーザは、携帯電話５０を用いて、屋外機１０の近くにいる外来者と通話することが可能となる。また、受付許可者データを携帯電話５０で記憶するようにし、ステップＳ３３〜Ｓ３５の処理を、携帯電話５０で実行するようにしてもよい。
【００６３】
以上説明したように第１の実施の形態における外来者受付システムは、外来者が携帯する携帯電話４０を屋外機１０に近づけると、近距離通信部１５が携帯電話４０のＩＣカード４１と通信して携帯電話４０の識別情報が取得される。屋外機１０が形態電話４０の識別用を通信端末２０に送信すると、通信端末２０は、屋外機から受信された識別情報が受付許可者データとしてＥＥＰＲＯＭ２８に記憶されていることを条件に、外来者があることが報知される。このため、識別情報を登録した携帯電話を携帯する者が来訪した場合のみ外来者があることが報知されるので、受付を許可する外来者を制限することができる。
【００６４】
また、屋外機１は、近距離通信部１５の通信可能距離内に進入した携帯電話４０がに装着されたＩＣタグ４１と通信して、外来者が携帯する携帯電話４０から識別情報を取得し、通信端末２０に送信するので、外来者が携帯する携帯電話４０の識別情報で外来者を識別することができ、携帯電話４０の識別情報の取得により外来者の存在を検出することができる。
【００６５】
また、外来者を撮像して取得した画像データと、携帯電話４０の識別情報に対応付けてＥＥＰＲＯＭ２８に記憶されている画像データとを同時に表示するので、外来者の顔を、予め登録した画像データで確認することができ、携帯電話４０の所有者でない別人が携帯電話４０の所有者になりすまして来訪した場合であっても、別人が来訪したことを知ることができる。
【００６６】
＜第２の実施の形態＞
図６は、第２の実施の形態における外来者受付システムの構成の概略を示す図である。図６を参照して、第２の実施の形態における外来者受付システムは、屋外機１０Ａと、第１〜第３携帯電話５０Ａ，５０Ｂ，５０Ｃとを含む。第１〜第３携帯電話５０Ａ、５０Ｂ，５０Ｃは、通信端末である。屋外機１０Ａは、図１に示した屋外機１０と同じ部材には同じ符号を付してある。屋外機１０Ａが屋外機１０と異なる点は、通信Ｉ／Ｆ１６に代えて、無線ＬＡＮカード６１を備える点である。無線ＬＡＮカード６１は、屋外機１０Ａを第１〜第３携帯電話５０Ａ、５０Ｂ，５０Ｃと無線接続するためのインターフェイスである。なお、ここでは、第１〜第３携帯電話５０Ａ、５０Ｂ，５０Ｃが屋外機１０Ａと無線で接続される例を示すが、例えば第１携帯電話５０Ａのみが屋外機１０Ａと接続されてもよく、さらに他の携帯電話が屋外機１０Ａと接続されてもよい。要するに、屋外機１０Ａと接続される携帯電話は、１台以上あればよく、台数は制限されない。第１〜第３携帯電話５０Ａ、５０Ｂ，５０Ｃは、それらの機能は同じなので、ここでは第１携帯電話５０Ａについて説明する。
【００６７】
図７は、第２の実施の形態における第１携帯電話の構成の概略を示すブロック図である。図７を参照して、第１携帯電話５０Ａは、第１携帯電話５０Ａの全体を制御するための制御部５１と、アンテナ５４Ａが接続された無線回路５４と、ユーザの操作の入力を受付ける操作キー５５と、液晶表示装置（ＬＣＤ）５６と、受付許可者データを記憶するためのＥＥＰＲＯＭ５７と、制御部５１が実行するプログラムを記憶するためのＲＯＭ５８と、音声データを処理するためのコーデック部６０と、無線ＬＡＮカード５９とを含む。無線ＬＡＮカード５９は、第１携帯電話５０Ａを屋外機１０Ａと無線接続するためのインターフェイスである。
【００６８】
図８は、第１携帯電話に記憶される受付許可者データのフォーマットの一例を示す図である。受付許可者データは、第１携帯電話５０ＡのＥＥＰＲＯＭ５７に記憶される。図８は、ＥＥＰＲＯＭ５７の記憶領域を示している。受付許可者データは、電話番号と、ＥＳＮと、顔画像データとを含む。受付許可者データは、電話番号とＥＳＮとのいずれか一方を必ず含み、両方を含んでもよい。受付許可者データが電話番号を含む場合、第１携帯電話５０Ａが記憶する電話帳データが有するデータ項目は、受付許可者データのデータ項目を含む。このため、電話帳データを常時記憶用の受付許可者データとすることができる。この場合には、一時記憶用の受付許可者データのみが電話帳データとは別にＥＥＰＲＯＭ５８に記憶されることになる。
【００６９】
図９は、第１携帯電話５０Ａで実行される受付許可者データ登録処理の流れの一例を示すフローチャートである。受付許可者データ登録処理は、第１携帯電話５０Ａの制御部５１が、ＥＥＰＲＯＭ５７またはＲＯＭ５８に記憶された受付許可者データ登録プログラムを実行することにより、制御部５１で実行される処理である。図９を参照して、制御部５１は、電話番号またはＥＳＮが入力されたか否かを判断する（ステップＳ５１）。電話番号またはＥＳＮは、第１携帯電話５０Ａを操作するユーザにより第１携帯電話５０Ａに入力される。制御部５１は、ユーザが電話番号またはＥＳＮを入力するための入力画面をＬＣＤ５６に表示させ、ユーザにより操作キー５５に電話番号またはＥＳＮが入力されることにより電話番号またはＥＳＮを取得する。制御部５１は、電話番号またはＥＳＮが入力されると処理をステップＳ５２に進め、入力されなければ処理をステップＳ５６に進める。ステップＳ５２では、制御部５１は、顔画像データが入力されたか否かを判断する。顔画像データは、ステップＳ５１で入力された電話番号またはＥＳＮを有する携帯電話の所有者の顔を撮像して得られる画像データである。ここでは、顔画像データは、第１携帯電話５０Ａが備えるカメラによって取得される。制御部５１は、カメラから画像データを取得して処理をステップＳ５３に進め、画像データが取得されなければ処理をステップＳ５６に進める。
【００７０】
ステップＳ５３では、制御部５１は、回数制限情報が入力されたか否かを判断する。回数制限情報は、第１携帯電話５０Ａのユーザにより操作キー５５に入力される。制御部５１は、ユーザが回数制限情報を入力するための画面をＬＣＤ５６に表示させ、ユーザにより操作キー５５に回数制限情報が入力されることにより回数制限情報を取得する。制御部５１は、回数制限情報が入力されると処理をステップＳ５４に進め、入力されなければ処理をステップＳ５５に進める。なお、制御部５１は、ステップＳ５１〜ステップＳ５３それぞれでＬＣＤ５６に入力画面を表示させるようにしたが、ステップＳ５１〜ステップＳ５３それぞれで表示させた入力画面を同時にＬＣＤ５６に表示させるようにしてもよい。ステップＳ５４では、制御部５１は、ステップＳ５１で取得した電話番号またはＥＳＮと、ステップＳ５２で取得した顔画像データとから受付許可者データを生成してＥＥＰＲＯＭ５７の一時記憶領域に記憶する。一方、制御部５１は、ステップＳ５５では、ステップＳ５１で取得した電話番号またはＥＳＮと、ステップＳ５２で取得した顔画像データとから受付許可者データを生成してＥＥＰＲＯＭ５７の常時記憶領域に記憶する。
【００７１】
ステップＳ５６では、制御部５１は、電話帳データの一括登録の指示が入力されたか否かを判断する。電話帳データの一括登録の指示は、第１携帯電話５０Ａを操作するユーザにより操作キー５５に入力されることにより制御部２１で取得される。制御部５１は、電話帳データの一括登録の指示が入力されると処理をステップＳ５７に進め、電話帳データの一括登録の指示が入力されなければ処理をステップＳ５８に進める。制御部５１は、ステップＳ５７において、電話帳データをＥＥＰＲＯＭ２８の常時記憶領域に書き込む。これにより、ＥＥＰＲＯＭ５７に既に記憶されている電話帳データを受付許可者データとすることができる。ＥＥＰＲＯＭ５７に既に記憶されている電話帳データのうちからユーザが指定した電話帳データのみを受付許可者データとするようにしてもよい。なお、実際には、電話帳データをコピーして常時記憶領域に書き込む必要はなく、電話帳データが既に記憶されているＥＥＰＲＯＭ５７の領域を常時記憶領域としてもよいし、ＥＥＰＲＯＭ５７に既に記憶されている電話帳データにポインタ等の情報を付すなどすればよい。なお、電話帳データで電話番号がグループ分けされている場合には、例えば家族や友人等の特定のグループに分類されている電話番号のみを受付許可者データとしてＥＥＰＲＯＭ５７に記憶するようにしてもよい。さらに、携帯電話５０に発信履歴または着信履歴として記憶されている電話番号を受付許可者データとしてＥＥＰＲＯＭ５７に記憶するようにしてもよい。この際、発信回数または着信回数が所定回数を超える電話番号のみを受付許可者データとしてＥＥＰＲＯＭ５７に記憶するようにしてもよい。
【００７２】
ステップＳ５８では、制御部５１は、訪問登録用電子メールが受信されたか否かを判断する。訪問登録用電子メールは、無線回路５４で受信される電子メールのうち訪問する者の電話番号またはＥＳＮを少なくとも含む電子メールである。電子メールのヘッダ部分、またはサブジェクトに訪問登録用電子メールである情報を含む。訪問登録用電子メールは、訪問する者の顔を撮像して得られる顔画像データを含んでもよい。ここでは、訪問登録用電子メールが、訪問する者の電話番号またはＥＳＮ、および顔画像データを含んでいるものとして説明する。制御部５１は、無線回路５４で訪問登録用電子メールが受信されたことを検出すると、処理をステップＳ５９に進め、検出しなければ処理を終了する。制御部５１は、無線回路５４で訪問登録用電子メールが受信されたことを検出すると、その訪問登録用電子メールから電話番号またはＥＳＮを抽出し（ステップＳ５９）、顔画像データを抽出する（ステップＳ６０）。そして、制御部５１は、ステップＳ５９で抽出した電話番号またはＥＳＮと、ステップＳ６０で抽出した顔画像データとから受付許可者データを生成してＥＥＰＲＯＭ５７の一時記憶領域に記憶する（ステップＳ６１）。
【００７３】
図１０は、第２の実施の形態における外来者受付システムで実行される処理の流れの一例を示すフローチャートである。図１０（Ａ）は、屋外機で実行される外来者受付処理を示すフローチャートである。この外来者受付処理は、ＲＯＭ１７に記憶された外来者受付プログラムが制御部１１により実行されることにより、制御部１１で実行される処理である。図１０（Ａ）は、携帯電話５０Ａで実行される外来者報知処理を示すフローチャートである。この外来者報知処理は、ＥＥＰＲＯＭ５７またはＲＯＭ５８に記憶された外来者報知プログラムが制御部５１で実行されることにより、制御部５１で実行される処理である。
【００７４】
図１０（Ａ）を参照して、図４（Ａ）に示した外来者受付処理の処理と流れは同じである。ただし、屋外機１０Ａの制御部１１は、ステップＳ２２では、ステップＳ２１で受信した携帯電話４０の識別情報を、無線ＬＡＮカード６１を介してブロードキャストで送信する。また、制御部１１は、ステップＳ２４では、ステップＳ２３で取得した画像データを、無線ＬＡＮカード６１を介してブロードキャストで送信する。
【００７５】
図１０（Ｂ）を参照して、第１携帯電話５０Ａの制御部５１は、屋外機１０Ａがブロードキャストで送信した識別情報を受信したか否かを判断する（ステップＳ７１）。制御部５１は、無線ＬＡＮカード６１で識別情報が受信されるまで待機状態となっており（ステップＳ７１でＮＯ）、識別情報が受信されると処理をステップＳ７２に進める。換言すれば、制御部５１は、無線ＬＡＮカード６１で識別情報が受信されることを条件に、ステップＳ７２以降の処理を実行する。そして、制御部５１は、屋外機１０Ａからブロードキャストで送信される画像データを受信する（ステップＳ７２）。そして、制御部５１は、ステップＳ７１で受信した識別情報をキーにして、ＥＥＰＲＯＭ５７に記憶されている受付許可者データを検索する（ステップＳ７３）。制御部５１は、ステップＳ７１で受信した識別情報を含む受付許可者データがＥＥＰＲＯＭ５７に記憶されているか否かを判断する（ステップＳ７４）。制御部５１は、ステップＳ７１で受信した識別情報を含む受付許可者データがＥＥＰＲＯＭ５７に記憶されていれば処理をステップＳ７５に進め、そうでなければ処理を終了する。ステップＳ７５では、ステップＳ７１で受信した識別情報を含む受付許可者データの顔画像データをＥＥＰＲＯＭ５７から読み出す。
【００７６】
そして、制御部５１は、ステップＳ７６では、表示部２６に来訪者があることを報知するためにスピーカ５３に呼び鈴の音を出力させる。これにより、第１携帯電話５０Ａのユーザは、屋外機１０Ａの無線ＬＡＮカード６１の通信可能範囲にいれば、外来者があることを知ることができる。また、制御部５１は、音の出力に併せて、ＬＣＤ５６に所定のメッセージを表示するようにしてもよい。受付許可者データに携帯電話４０の所有者の氏名を対応付けておく、または、受付許可者データの電話番号またはＥＳＮと携帯電話４０の所有者の氏名とを対応付けておけば、ステップＳ７１で受信した識別情報を含む受付許可者データから来訪者の氏名を特定することができるので、例えば、「（訪問する者の氏名）が来客です」のメッセージを表示するようにしてもよい。これにより、第１携帯電話５０Ａのユーザに、外来者が誰であるかを知らせることができる。制御部５１は、ステップＳ７２で受信した画像データと、ステップＳ７５で読み出した顔画像データとをＬＣＤ５６に並べて表示する。このため、第１携帯電話５０Ａのユーザは、携帯電話４０の所有者と、外来者とが同一人物であることを画像で確認することができる。なお、ここでいう画像データは、静止画に限定されず、動画データを含む。
【００７７】
ステップＳ７８では、制御部５１は、許可信号が入力されたか否かを判断する。制御部２１は、第１携帯電話５０Ａのユーザにより操作キー５５に許可信号が入力されることにより、許可信号を取得する。制御部５１は、許可信号が入力されると処理をステップＳ７９に進め、許可信号が入力されなければ処理を終了する。ステップＳ７９では、制御部５１は、ステップＳ７１で受信した識別情報を含む受付許可者データがＥＥＰＲＯＭ５７の一時記憶領域に記憶されているか否かを判断する。制御部５１は、一時記憶領域に記憶されていれば処理をステップＳ８０に進め、常時記憶領域に記憶されていれば処理をステップＳ８１に進める。ステップＳ８０では、ステップＳ７１で受信した識別情報を含む受付許可者データをＥＥＰＲＯＭ５７から削除する。ステップＳ７１で受信した識別情報の携帯電話の所有者の２回目の訪問を受付けないようにするためである。
【００７８】
ステップＳ８１では、制御部５１は、許可信号を無線ＬＡＮカード５９を介して屋外機１０Ａに送信する。そして、制御部５１は、マイク５２とスピーカ５３とをオンにする（ステップＳ８２）。制御部５１は、マイク５２とスピーカ５３とをオンし、第１携帯電話５０Ａと屋外機１０Ａとの間の通信を確立して通話が可能な状態にする。具体的には、制御部５１は、マイク５２が集音して出力する音声データを、無線ＬＡＮカード５９を介して屋外機１０Ａに送信し、無線ＬＡＮカード５９で受信される音声データをスピーカ５３に与え、スピーカ５３から音を発生させる。また、制御部５１は、無線ＬＡＮカード５９から受信される画像データをＬＣＤ５６に表示させる。制御部５１は、許可信号の入力を条件に、外来者との通話を可能とするので、第１携帯電話５０Ａのユーザは、自身の意思で外来者と通話するか否かを決定することができる。
【００７９】
ステップＳ８３では、制御部５１は、終了信号が入力されたか否かを判断する。制御部５１は、第１携帯電話５０Ａを操作するユーザにより操作キー５５に終了信号が入力されることにより、終了信号を取得する。制御部５１は、終了信号が入力されるまで待機状態となり（ステップＳ８３でＮＯ）、第１携帯電話５０Ａが通話可能な状態を維持する。制御部５１は、終了信号が入力されると処理をステップＳ８４に進める。ステップＳ８４では、制御部５１は、屋外機１０Ａに終了信号を無線ＬＡＮカード５９を介して送信する。そして、制御部５１は、マイク５２とスピーカ５３とをオフにする（ステップＳ８５）。制御部５１は、マイク５２とスピーカ５３とをオフして第１携帯電話５０Ａを屋外機１０Ａとの間の通信を切断して、通話が不可能な状態にする。そして、制御部５１は、処理を終了する。
【００８０】
以上説明したように第２の実施の形態における外来者受付システムは、第１携帯電話５０Ａ、第２携帯電話５０Ｂおよび第３携帯電話５０Ｃそれぞれで、屋外機１０から携帯電話４０の識別情報が受信されると、受信された識別情報が受付許可者データとしてＥＥＰＲＯＭ２８に記憶されていることを条件に、外来者があることが報知される。このため、第１携帯電話５０Ａ、第２携帯電話５０Ｂおよび第３携帯電話５０Ｃのうち、受信された識別情報が受付許可者データとしてＥＥＰＲＯＭ２８に記憶されているもののみが外来者があることを報知する。したがって、訪問される人にのみ外来者があったことが報知され、訪問される人以外には報知されないので、訪問される人以外に不要な情報を与えて煩わせることがない。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８２】
【図１】本発明の第１の実施の形態における外来者受付システムの構成の概略を示す図である。
【図２】通信端末に記憶される受付許可者データのフォーマットの一例を示す図である。
【図３】通信端末で実行される受付許可者データ登録処理の流れの一例を示すフローチャートである。
【図４】第１の実施の形態における外来者受付システムで実行される処理の流れの一例を示す図である。
【図５】通信端末の表示部に表示される画面の一例を示す図である。
【図６】第２の実施の形態における外来者受付システムの構成の概略を示す図である。
【図７】第２の実施の形態における第１携帯電話の構成の概略を示すブロック図である。
【図８】第１携帯電話に記憶される受付許可者データのフォーマットの一例を示す図である。
【図９】第１携帯電話で実行される受付許可者データ登録処理の流れの一例を示すフローチャートである。
【図１０】第２の実施の形態における外来者受付システムで実行される処理の流れの一例を示すフローチャートである。
【符号の説明】
【００８３】
１０，１０Ａ  屋外機、１１，２１、５１  制御部、１２，２２，４２，５２  マイク、１３，２３，４３，５３  スピーカ、１４  カメラ、１５  近距離通信部、１６  通信Ｉ／Ｆ、２０  通信端末、２１  制御部、２４  第１通信Ｉ／Ｆ、２５  第２通信Ｉ／Ｆ、２６  表示部、２７  操作部、３０，５９，６１  無線ＬＡＮカード、４０，５０  携帯電話、４１  ＩＣタグ、５０Ａ  第１携帯電話、５０Ｂ  第２携帯電話、５０Ｃ  第３携帯電話、５４  無線回路、５４Ａ  アンテナ、５５  操作キー、５６  ＬＣＤ、６０  コーデック部。
【図１】
0004727378.tif 000002
【図２】
0004727378.tif 000003
【図３】
0004727378.tif 000004
【図４】
0004727378.tif 000005
【図５】
0004727378.tif 000006
【図６】
0004727378.tif 000007
【図７】
0004727378.tif 000008
【図８】
0004727378.tif 000009
【図９】
0004727378.tif 000010
【図１０】
0004727378.tif 000011